(57)【要約】【課題】ショッピングサイトが手軽に商品の基礎情報をアフィリエイトサイトへ動的に知らせたり、アフィリエイトサイトで入力された口コミ情報を入手したりすることができるようにすること。【解決手段】ショッピングサイト２の既存のコンテンツに「商品情報タグ」を追加し、アフィリエイトサイト４の既存のコンテンツに「商品関連タグ」を追加し、商品の関連付けを行い、商品情報仲介装置８経由でショッピングサイト２に口コミ情報を表示する。【選択図】図１
2008191902.tif 000002
【特許請求の範囲】
【請求項１】
ショッピングサイトの既存のコンテンツに「商品情報タグ」を追加し、アフィリエイトサイトの既存のコンテンツに「商品関連タグ」を追加し、商品の関連付けを行い、商品情報仲介装置経由で前記ショッピングサイトに口コミ情報を表示することを特徴とする口コミ情報の仲介システム。
【請求項２】
アフィリエイトサイトの商品推奨者が入力する商品の口コミ情報を受け付けることを特徴とする請求項１記載の口コミ情報の仲介システム。
【請求項３】
ショッピングサイトの既存のコンテンツに「商品情報タグ」を追加し、アフィリエイトサイトの既存のコンテンツに「商品関連タグ」を追加し、商品の関連付けを行い、商品情報仲介装置経由で前記アフィリエイトサイトに商品の基礎情報を表示することを特徴とする請求項１または２記載の口コミ情報の仲介システム。
【請求項４】
ショッピングサイトの既存のコンテンツに「商品情報タグ」を追加し、アフィリエイトサイトの既存のコンテンツに「商品関連タグ」を追加し、商品の関連付けを行い、商品情報仲介装置経由で前記ショッピングサイトに口コミ情報を表示することを特徴とする口コミ情報の仲介方法。
【請求項５】
アフィリエイトサイトの商品推奨者が入力する商品の口コミ情報を受け付けることを特徴とする請求項４記載の口コミ情報の仲介方法。
【請求項６】
ショッピングサイトの既存のコンテンツに「商品情報タグ」を追加し、アフィリエイトサイトの既存のコンテンツに「商品関連タグ」を追加し、商品の関連付けを行い、商品情報仲介装置経由で前記アフィリエイトサイトに商品の基礎情報を表示することを特徴とする請求項４または５記載の口コミ情報の仲介方法。
【請求項７】
コンピュータシステムに請求項１から３のいずれか１項に記載の機能を実現させることを特徴とするプログラム。
【発明の詳細な説明】
【技術分野】
【０００１】
本発明は、個人のアフィリエイトサイトおよび実際商品を提供するショッピングサイトにタグを追加することで、双方向で商品に対する口コミ情報の入出力する技術に関する。
【背景技術】
【０００２】
近年、インターネットの発達によりオンラインショッピングサイトおよび商品を紹介するアフィリエイトサイトが増えてきていて、消費者は他人がその商品に関する評価いわゆる「口コミ情報」を参考に商品を購入するケースも格段に増えてきた。
【０００３】
しかし、オンラインショッピングサイトの持ち主は、「口コミ情報」を入手するために自分のＷｅｂサイトに商品に対する評価の入力機能を用意するか、アフィリエイトサイトに自分の商品を紹介してもらえるためのＷｅｂサービス等のＡＰＩを用意する必要がある。
【０００４】
ここで、売り手に電子支払注文を送信することによって買い手が製品を購入する電子支払システムが、製品調査情報を提供するように機能強化する技術が提案されている（例えば、特許文献１参照）。
【特許文献１】特開２０００−４８０８５号公報
【発明の開示】
【発明が解決しようとする課題】
【０００５】
しかしながら、特許文献１に開示されている技術では、特別なソフトウェアをインストールする必要が有り、また、評価についても調査質問表の書込みとそれに基づく評価が必要で有り煩雑であり、それに伴う種々の制約も存在していた。
【０００６】
さらに、従来は口コミ情報が各Ｗｅｂサイトに分散され、ショッピングサイトとアフィリエイトサイトのそれぞれに訪れた訪問者は、そのサイトに記載されている情報しか見れなかった。
【０００７】
本発明は、以上説明した問題点を解決するためになされたものである。その目的は、ショッピングサイトとアフィリエイトサイトの間に商品情報仲介装置を導入することによって、ショッピングサイトが手軽に商品の基礎情報をアフィリエイトサイトへ動的に知らせたり、アフィリエイトサイトで入力された口コミ情報を入手したりすることができるようにすることである。
【課題を解決するための手段】
【０００８】
本発明は、ショッピングサイトの既存のコンテンツに「商品情報タグ」を追加し、アフィリエイトサイトの既存のコンテンツに「商品関連タグ」を追加し、商品の関連付けを行い、商品情報仲介装置経由で前記ショッピングサイトに口コミ情報を表示する口コミ情報の仲介システムを提供する。
【０００９】
また、本発明は、ショッピングサイトの既存のコンテンツに「商品情報タグ」を追加し、アフィリエイトサイトの既存のコンテンツに「商品関連タグ」を追加し、商品の関連付けを行い、商品情報仲介装置経由で前記ショッピングサイトに口コミ情報を表示する口コミ情報の仲介方法を提供する。
【発明の効果】
【００１０】
本発明によれば、ショッピングサイトが手軽に商品の基礎情報をアフィリエイトサイトへ動的に知らせたり、アフィリエイトサイトで入力された口コミ情報を入手したりすることができるようにすることができる。
【発明を実施するための最良の形態】
【００１１】
以下、本発明の第１の実施の形態について図面を参照して詳細に説明する。
【００１２】
図１を参照すると、本実施の形態における口コミ情報の仲介システムは、商品提供者端末１と、ショッピングサイト２と、商品推奨者端末３と、アフィリエイトサイト４と、商品情報仲介装置８と、これらを相互に接続するインターネットなどの通信ネットワーク５とから構成されている。
【００１３】
ショッピングサイト２には、商品情報提供装置６を含む。
【００１４】
アフィリエイトサイト４には、商品紹介処理装置７を含む。
【００１５】
商品情報提供装置６は、商品情報登録手段６１と口コミ情報管理手段６２を備えている。
【００１６】
商品紹介処理装置７は、情報収集手段７１と掲載広告管理手段７２を備えている。
【００１７】
商品情報仲介装置８は、情報記憶装置８１と仲介情報処理装置８２を備えている。
【００１８】
商品情報登録手段６１は、商品紹介情報と関連キーワードを商品情報仲介装置８への送信機能を備えている。本機能はショッピングサイトのコンテンツに追加する「商品情報タグ」によって実現する。
【００１９】
口コミ情報管理手段６２は、商品推奨者からの商品口コミ情報を表示する機能および商品提供者による口コミ情報の表示拒否機能を備えている。本機能はショッピングサイトのコンテンツに追加する「商品情報タグ」によって実現する。
【００２０】
情報収集手段７１は、商品推奨者が自分のＷｅｂサイトの一部をアフィリエイトサイトに指定する機能および掲載広告との関連性調査対象のコンテンツを商品情報仲介装置８への送信機能を備えている。本機能はアフィリエイトサイトのコンテンツに追加する「商品関連付けタグ」によって実現する。
【００２１】
掲載広告管理手段７２は、アフィリエイトサイトに関連性のある商品広告掲載と個別広告の表示可否選択機能および商品推奨者による評価情報記入機能を備えている。本機能はアフィリエイトサイトのコンテンツに追加する「広告表示タグ」によって実現する。
【００２２】
情報記憶装置８１は、基本情報記憶部８１１と、商品情報記憶部８１２を備えている。
【００２３】
仲介情報処理装置８２は、基本情報処理手段８２１と、商品情報登録手段８２２と、口コミ情報登録手段８２３と、情報関連付け手段８２４と、特定広告非表示手段８２５と、特定商品口コミ情報非表示手段８２６を備えている。
【００２４】
基本情報記憶部８１１は、商品提供者と商品推奨者の基本情報（利用者ＩＤやパスワードなど）を記録している。
【００２５】
商品情報記憶部８１２は、ショッピングサイトの基本情報（ＵＲＬや商品提供者の利用者ＩＤなど）と、「商品情報タグ」で囲まれている個々の商品に関する情報と、商品提供者が「商品情報タグ」のキーワード属性に書いた該当商品の関連キーワードと、商品推奨者が商品に対する口コミ情報が記憶している。
【００２６】
基本情報処理手段８２１は、商品提供者と商品推奨者の基本情報を基本情報記憶部８１１に登録したり、認証したりする機能を備えている。
【００２７】
商品情報登録手段８２２は、商品紹介処理装置７の商品情報登録手段６１によって送信された商品情報を情報記憶装置８１の商品情報記憶部８１２に登録する機能を備えている。
【００２８】
口コミ情報登録手段８２３は、商品紹介情報処理装置７の掲載広告管理手段７２によって送信された商品に関する口コミ情報を情報記憶装置８１の商品情報記憶部８１２に登録する機能を備えている。
【００２９】
情報関連付け手段８２４は、商品紹介処理装置７の情報収集手段７１によって送信されたアフィリエイトサイトの内容に関連性のある商品情報を商品情報記憶装置８１２から探出し、アフィリエイトサイトと紐付ける機能および商品の口コミ情報を探出す機能を備えている。
【００３０】
特定広告非表示手段８２５は、商品紹介処理装置７の掲載広告管理手段７２によって送信された商品推奨者が自分のＷｅｂサイトに掲載させたくない広告に関する指示に基づき、情報記憶装置８の商品情報記憶装置８１２に記録されている該当商品とアフィリエイトサイトとの紐付け情報を削除する機能を備える。
【００３１】
特定商品口コミ情報非表示手段８２６は、商品情報提供装置６の口コミ情報管理手段６２によって送信された商品提供者が自分のＷｅｂサイトに掲載させたくない商品評価に関する指示に基づき、情報記憶装置８の商品情報記憶装置８１２に関連アフィリエイトサイトからの商品口コミ情報を表示しない設定機能を備える。
【００３２】
次に、図１、２及び３を参照して本実施の形態の動作について詳細に説明する。なお、以降の説明では、ネットワーク５はインターネットであるとする。図３に商品提供者と商品推奨者の利用者ＩＤやパスワードなどの基本情報登録はできたものとし、その以降の処理流れを示すものとする。
【００３３】
商品提供者は商品提供者端末１を用いて、インターネット５を介し、ショッピングサイト２に商品情報提供装置６を埋め込む。商品情報提供装置６の実装例として、図２のショッピングサイトのHTML記述例で示すように商品紹介コンテンツを「商品情報タグ」で囲み、該当商品の関連キーワードを書き（一例として「商品情報タグ」の属性に商品の関連キーワードを追加する）、「商品情報タグ」が機能するようにスクリプトの定義文（一例として図２のように「<script language="javascript" src="xxxxxx.js" />」）を追加する（ステップＡ１）。なお、「商品情報タグ」で囲んだコンテンツの範囲は商品口コミ情報表示領域である。
【００３４】
商品推奨者は商品推奨者端末３を用いて、インターネット５を介し、自分所有のアフィリエイトサイト４に商品紹介処理装置７を埋め込む。商品紹介処理装置７の実装例として、図２のアフィリエイトサイトのHTML記述例で示すように、商品推奨者は、まず、自分のＷｅｂサイトに広告と関連付けたいコンテンツ部分を「商品関連付けタグ」で囲むことによって情報収集手段７１を追加する（ステップＡ２）。
【００３５】
次に、アフィリエイトサイト４に「広告表示タグ」を追加すること（図２）によって掲載広告管理手段７２を追加する。また、「商品関連付けタグ」と「広告表示タグ」が機能するようにスクリプトの定義文（一例として図２のように「<script language="javascript" src="xxxxxx.js" />」）を追加する。（ステップＡ３）。なお、「広告表示タグ」で囲んだコンテンツの範囲は広告掲載領域である。
【００３６】
情報提供者を含む訪問者がショッピングサイトを訪問するタイミングで、ショッピングサイトに登録された商品情報登録手段６１が動作し、商品情報が商品情報仲介装置８に送信され、商品情報登録手段８２２によって商品情報記憶装置８１２に商品情報および関連キーワードが登録される（ステップＡ４）。
【００３７】
情報推奨者を含む訪問者がアフィリエイトサイトを訪問するタイミングで、アフィリエイトサイトに登録された情報収集手段７１が動作し、アフィリエイトサイトのコンテンツ内容が商品情報仲介装置８に送信される。コンテンツ内容に商品情報記憶装置８１２に登録されている各商品の関連キーワードが含まれている場合、アフィリエイトサイトは情報関連付け手段８２４によって関連商品と紐付ける（ステップＡ５）。
【００３８】
アフィリエイトサイトの訪問者は、例えばマウスカーソルがＷｅｂブラウザ上の広告掲載領域に移動したとき（あるいは広告掲載領域でマウスをクリックする）、掲載広告管理手段７２によって「情報関連付けタグ」に囲まれているコンテンツが商品情報仲介装置８へ送信され、掲載広告の問合せ処理が行われる（ステップＡ６）。
【００３９】
広告掲載領域の指定は「広告表示タグ」によって行う。図２に２通りの広告掲載領域指定方法を例示する。
【００４０】
一つの指定方法は、「広告表示タグ」でアフィリエイトサイトの特定コンテンツを囲み、「広告表示タグ」の属性を「output='off'（掲載広告の関連キーワードを表示しない）」にする。この場合は、Ｗｅｂブラウザ上に表示される「広告表示タグ」で囲まれたコンテンツが広告掲載領域になる。
【００４１】
もう一つの指定方法は、「広告表示タグ」でアフィリエイトサイトのコンテンツを囲まず、「広告表示タグ」の属性を「output='on' height=... （掲載広告の関連キーワードを表示する且つＷｅｂブラウザ上に掲載広告の関連キーワードを表示する）」にする。この場合は、掲載広告の関連キーワードがＷｅｂブラウザに表示され、その領域が広告掲載領域となる。
【００４２】
広告掲載要求を受けた商品情報仲介装置８では、情報関連付け手段８２４によって、商品情報記憶装置８１２にある該当アフィリエイトサイトと紐付けた商品情報をアフィリエイトサイトの訪問者のＷｅｂブラウザへ送信する（ステップＡ７）。
【００４３】
アフィリエイトサイトの訪問者のＷｅｂブラウザでは、図２の例で示したような「お勧め商品」画面が表示される。
【００４４】
商品推奨者は、商品推奨者端末３のＷｅｂブラウザに、例えば図２の「お勧め商品」画面の「掲載拒否」ボタンをクリックすることで、掲載させたくない広告の掲載を拒否する（ステップＡ８）。
【００４５】
掲載拒否指示は掲載広告管理手段７２によって商品情報仲介装置８に送信される。特定広告非表示手段８２６によって商品情報記憶装置８１２にある該当商品に紐付けられたアフィリエイトサイト情報が削除される。
【００４６】
商品推奨者は、商品推奨者端末３のＷｅｂブラウザに、例えば図２の「お勧め商品」画面を利用して、商品の口コミ情報を記入する（ステップＡ９）。記入した口コミ情報は、掲載広告管理手段７２によって商品情報仲介装置８に送信され、口コミ情報登録手段８２３によって商品情報記憶装置８１２にある該当商品と紐付いて登録される。
【００４７】
ショッピングサイトの訪問者は、例えばマウスカーソルがＷｅｂブラウザ上の商品口コミ情報表示領域に移動したとき（あるいは商品口コミ情報表示領域でマウスをクリックする）、口コミ情報管理手段６２によって、商品情報仲介装置８に該当商品の口コミ情報を問合せる（ステップＡ１０）。
【００４８】
口コミ情報要求を受けた商品情報仲介装置８では、情報関連付け手段８２４によって、商品情報記憶装置８１２にある該当商品に関する口コミ情報をショッピングサイトの訪問者のＷｅｂブラウザへ送信する（ステップＡ１１）。
【００４９】
ショッピングサイトの訪問者のＷｅｂブラウザでは、図２の例で示したような「口コミ情報」画面が表示される。
【００５０】
商品提供者は、商品提供者端末１のＷｅｂブラウザに、例えば図２の「口コミ情報」画面の「掲載拒否」ボタンをクリックすることで、掲載させたくない口コミ情報の表示を拒否する（ステップＡ１２）。
【００５１】
掲載拒否指示は口コミ情報管理手段６２によって商品情報仲介装置８に送信される。特定商品口コミ情報非表示手段８２５によって商品情報記憶装置８１２にある該当商品の該当商品口コミ情報を表示しないように設定される。
【００５２】
上記の本実施の形態によれば、商品提供者は少ない手間で自分の商品を広く紹介してもらえる。その理由は、「商品情報タグ」をショッピングサイトに追加するだけで新たに商品紹介を書くことなく、仲介システム経由で複数不特定の関連性のあるアフィリエイトサイトに商品紹介が配信されるためである。
【００５３】
また、商品提供者は少ない手間で自分の商品に関する評価情報が入手できる。その理由は、本来のショッピングサイトに商品に対する評価記入機能を自分で構築することなく、「商品情報タグ」を利用するだけで複数不特定のアフィリエイトサイトから商品の口コミ情報を収集することができるためである。
【００５４】
また、商品推奨者は自分のＷｅｂサイトをアフィリエイトサイトとしての範囲を指定することができる。その理由は、商品推奨者は「商品関連付けタグ」を利用することでＷｅｂサイトの一部を掲載広告との関連性調査の対象にすることができるためである。
【００５５】
また、商品推奨者はプログラミングのスキルがなくても手軽に自分のＷｅｂサイトで関連性のある商品広告を掲載することができ、掲載商品に対する口コミ情報の記入や特定広告の掲載拒否ができる。その理由は、「商品関連付けタグ」と「広告表示タグ」を追加するだけで自分のＷｅｂサイトと関連性のある広告掲載機能および商品口コミ情報の記入と特定広告の掲載拒否機能を導入することができるためである。
【００５６】
次に、本発明の第２の実施の形態について図面を参照して詳細に説明する。
【００５７】
本実施の形態は、ショッピングサイトに追加する「商品情報タグ」経由で商品情報仲介装置に商品情報登録以外に口コミ情報の入力機能も提供する点では、上記の第１の実施の形態と異なる。
【００５８】
図５を参照すると、商品提供者は商品提供者端末１を用いて、ショッピングサイト２に「商品情報タグ」を追加し、訪問者がショッピングサイトを訪問するタイミングで商品情報が商品情報仲介装置８の商品情報記憶装置８１２に登録されるまでの動作（ステップＢ１〜Ｂ２）は、第1の実施例（ステップＡ１とＡ４）と同様である。なお、「商品情報タグ」で囲んだコンテンツの範囲は商品口コミ情報表示領域である。
【００５９】
ショッピングサイトの訪問者は、例えばマウスカーソルがＷｅｂブラウザ上の商品口コミ情報表示領域に移動したとき（あるいは商品口コミ情報表示領域でマウスをクリックする）、「商品情報タグ」経由で商品情報仲介装置が提供する商品の口コミ情報の入力画面（一例として図４の「口コミ情報」画面の「Ｍｙ評価」）が表示され、そこへ商品の口コミ情報を記入する（ステップＢ３）。記入した口コミ情報は、商品情報仲介装置８に送信され、口コミ情報登録手段８２３によって商品情報記憶装置８１２にある該当商品と紐付いて登録される。
【００６０】
なお、ショッピングサイトの訪問者は、例えばマウスカーソルがＷｅｂブラウザ上の商品口コミ情報表示領域に移動したとき（あるいは商品口コミ情報表示領域でマウスをクリックする）、口コミ情報管理手段６２によって、商品情報仲介装置８に該当商品の既存の口コミ情報の問合せも同時に行う（ステップＢ４）。
【００６１】
商品情報仲介装置８で、情報関連付け手段８２４によって、商品情報記憶装置８１２にある該当商品に関する口コミ情報が検出できた場合、ショッピングサイトの訪問者のＷｅｂブラウザへその情報を送信する（ステップＢ５）。ショッピングサイトの訪問者のＷｅｂブラウザでは、図４の例で示したような「口コミ情報」画面で表示される。
【００６２】
商品提供者（ショッピングサイトの管理者）は、上記の第１の実施の形態のステップＡ１２と同じ操作で、ショッピングサイトに掲載させたくない口コミ情報の表示を拒否できる(ステップＢ６)。
【００６３】
なお、上述する実施の形態は、本発明の好適な実施の形態であり、本発明の要旨を逸脱しない範囲内において種々変更実施が可能である。例えば、商品提供者端末１、商品推奨者端末３、商品情報提供装置６、商品紹介処理装置７、商品情報仲介装置８等の機能を実現するためのプログラムを各装置に読込ませて実行することにより各装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。
【図面の簡単な説明】
【００６４】
【図１】本発明の第１の実施の形態のシステム構成を示す構成図である。
【図２】本発明の第１の実施の形態のイメージを示す図である。
【図３】本発明の第１の実施の形態の処理動作を示すフローチャートである。
【図４】本発明の第２の実施の形態のイメージを示す図である。
【図５】本発明の第２の実施の形態の処理動作を示すフローチャートである。
【符号の説明】
【００６５】
１    商品提供者端末
２    ショッピングサイト
３    商品推奨者端末
４    アフィリエイトサイト
５    通信ネットワーク
６    商品情報提供装置
７    商品紹介処理装置
８    商品情報仲介装置
【図１】
2008191902.tif 000003
【図２】
2008191902.tif 000004
【図３】
2008191902.tif 000005
【図４】
2008191902.tif 000006
【図５】
2008191902.tif 000007